(57)【要約】
【課題】　取付パネルおよび表面パネル（ｆａｃｉａｌ　ｐａｎｅｌ）を含むレセプタクルカバー装置を提供すること。
【解決手段】　　表面であり、かつ少なくとも１つの取付ポ―トを含む取付パネルと、
　取付パネルの上部に剛接合されており、取付パネルに対して事前に設定された角度で形成されているパネルプレートを備える表面パネルと
　を備え、それによって表面パネルが、レセプタクルカバー装置の外部の構成部品に旋回可能に接合され、取付ポートを入力／出力ソケットを提供するように構成することができ、外部プラグを取付穴に挿入し、事前に設定された角度で制限される空間内で受けることができ、表面パネルを閉じた状態のときに外部電線を取付パネルと表面パネルの間から外側に引き出すことができることからなる。
【選択図】　図１
0003099773.tif 000002
【実用新案登録請求の範囲】
【請求項１】
　表面であり、かつ少なくとも１つの取付ポ―トを含む取付パネルと、
　取付パネルの上部に剛接合されており、取付パネルに対して事前に設定された角度で形成されているパネルプレートを備える表面パネルと
　を備え、それによって表面パネルが、レセプタクルカバー装置の外部の構成部品に旋回可能に接合され、取付ポートを入力／出力ソケットを提供するように構成することができ、外部プラグを取付穴に挿入し、事前に設定された角度で制限される空間内で受けることができ、表面パネルを閉じた状態のときに外部電線を取付パネルと表面パネルの間から外側に引き出すことができる
　ことを特徴とするレセプタクルカバー装置。
【請求項２】
　取付パネルが表面パネルと一体的に作られることを特徴とする請求項１に記載のレセプタクルカバー装置。
【請求項３】
　取付パネルが接合装置を備えることができ、表面パネルが係合装置を備えることができ、したがって事前に設定された角度が２つの表面の間になるように接合装置および係合装置が互いに係合することを特徴とする請求項１に記載のレセプタクルカバー装置。
【請求項４】
　取付穴が電源穴、電源端子、または信号端子であることを特徴とする請求項１に記載のレセプタクルカバー装置。
【請求項５】
　表面パネルをコンピュータメインフレームのパネルの一部として形成することができることを特徴とする請求項１に記載のレセプタクルカバー装置。
【請求項６】
　取付パネルの２つの側面上に垂直スクリーンプレートが突出することができることを特徴とする請求項１に記載のレセプタクルカバー装置。
【請求項７】
　突起部を溝に挿入することによって接合装置を係合装置と係合することができることを特徴とする請求項１に記載のレセプタクルカバー装置。
【請求項８】
　床上または延長ラインベース上の電気レセプタクルに取り付けることができることを特徴とする請求項１に記載のレセプタクルカバー装置。
【請求項９】
　事前に設定された角度が３０度から６０度の間であることを特徴とする請求項１に記載のレセプタクルカバー装置。
【考案の詳細な説明】
【技術分野】
【０００１】
　本考案は、レセプタクルカバーに関し、より詳細には、外部へ通じる線およびケーブルを隠すことができるカバーに関する。本レセプタクルは、一般の固定コンセント、拡張リレーレセプタクル、直流レセプタクル電源、または信号出力端子だけに限定されない。
【背景技術】
【０００２】
　レセプタクルまたは端子台は、日常生活で頻繁に使用される。これは、事前に位置が設定されており、外部位置からケーブルが挿入され接続したときに、電源または信号端子の機能を果たす。実際に、パーソナルコンピュータ（ＰＣ）などの情報製品（ｉｎｆｏｒｍａｔｉｏｎ　ｐｒｏｄｕｃｔ）および家電製品には、一般の電力供給レセプタクルに加えて、多くの出力端子またはポ―トがある。また、これらの他の端子またはポートも信号出力／入力端子の機能を備えているので、レセプタクルという用語に使用される。
【０００３】
　コンピュータメインフレームなど従来の情報製品を例に挙げてみると、メインフレームに事前に設定されている出力端子および入力端子が従来から多数含まれている。出力端子は通常、メインフレームの裏面パネルに取り付けられているが、一部のメインフレームでは、ケーブルを簡単に挿入できるようにするために、入力／出力端子をその前面パネル、すなわちメインフレームの前面パネルに備えているものもある。これによってプラグまたは挿入された端子がむき出しになり、パネル設計の一貫性のある外観または完全性に悪影響をもたらしている。
【０００４】
　さらに、電源レセプタクルを床に取り付ける、すなわち、プラグをレセプタクルに垂直方向に下向きに差し込む場合がある。これは不都合である。というのは、プラグにぶつかったり、衝突したりして、レセプタクルから外れたり、あるいは、不慮の漏水や埃の堆積によって危険にさらされることがあるからである。したがって、レセプタクルを床に取り付けることは安全ではない。
【考案の開示】
【考案が解決しようとする課題】
【０００５】
　本考案の目的は、取付パネルおよび表面パネル（ｆａｃｉａｌ　ｐａｎｅｌ）を含むレセプタクルカバー装置を提供することである。
【課題を解決するための手段】
【０００６】
　本考案のレセプタクルカバー装置において、
　取付パネルは、平坦な、または任意の他の表面であり、少なくとも１つの取付穴を含み、これがレセプタクルであってもよい。表面パネルは、取付パネルの上部に剛接合されており、表面パネルに対して事前に設定された角度を形成するカバープレートを備える。外部表面カバーは、レセプタクル装置の外部の構成部品に旋回可能に接合されているので、レセプタクルは回転して、見えたり表面パネルに隠れたりし、それによって入力／出力ソケットを提供することができる。外部プラグは、事前に設定された角度により制限される空間でレセプタクルに挿入することができる。外部ケーブルは、表面カバーが閉位置にあるときに、取付パネルと表面パネルの間から外側に引き出すことができる。
　又、取付パネルが表面パネルと一体的に作られることが好適である。
　又、取付パネルが接合装置を備えることができ、表面パネルが係合装置を備えることができ、したがって事前に設定された角度が２つの表面の間になるように接合装置および係合装置が互いに係合することが好適である。
　又、取付穴が電源穴、電源端子、または信号端子であることが好適である。
　又、表面パネルをコンピュータメインフレームのパネルの一部として形成することができることが好適である。
　又、取付パネルの２つの側面上に垂直スクリーンプレートが突出することができることが好適である。
　又、突起部を溝に挿入することによって接合装置を係合装置と係合することができることが好適である。
　又、床上または延長ラインベース上の電気レセプタクルに取り付けることができることが好適である。
　さらに、事前に設定された角度が３０度から６０度の間であることが好適である。
【考案を実施するための最良の形態】
【０００７】
　本考案は以下の説明および添付の図面を参照することにより、より完全に理解することができる。
【０００８】
　図１から４を参照すると、本考案によるレセプタクルカバー装置の作成の概念は、基本的に、メインフレームの側面フレーム、延長リード線ベース（ｅｘｔｅｎｓｉｏｎ　ｌｅａｄ　ｂａｓｅ）などの付属物に旋回可能に接合されている、または持ち上げてから閉じる床取付用のレセプタクルカバーから導出されている。
【０００９】
　したがって、本考案のレセプタクルカバー装置は、取付パネル１および表面パネル２を含み、一体型または組立型として、コンピュータメインフレームのパネルまたは裏面プレートに取り付けられるように形成することができる。
【００１０】
　そこで、図１および２に示すように、取付パネル１は平坦で細長い形状、あるいは、円形、楕円形など他の任意の形状をしており、レセプタクルコネクタを収容するために少なくとも１つのレセプタクルポート１１を備えている。レセプタクルポート１１は、コネクタまたは端子台に対応する構成をしており、したがってコネクタまたは端子台を挿入でき、あるいは取り付けることができる。図１および２の実施形態は、異なる形状のレセプタクル穴１１を備えており、それぞれコンピュータメインフレームに使用可能である。一方、部分的に閉じたカバーを構成するために、取付パネル１の２つの側面の縁がスクリーンプレート１２を延長し、取付パネル１の上部は、表面パネル２に接合できるように接合装置１３を設けることができる。接合装置１３は円柱状であり、取付パネル１の上部から水平方向に延び、その両端には、取付パネル１と表面パネル２が互いに接合できるように、表面パネル２に設けられた係合穴または係合突起部に対応する係合突起部１３１または係合穴１３２を備えていることがわかる。取付パネル１および表面パネル２が一体的に作られている場合、接合装置１３を省略することができる。
【００１１】
　表面パネル２は、取付パネル１に対応するサイズおよび形状のカバープレート２１、およびその後端に、接合装置１３と係合するように接合装置１３に対応する係合装置２２を有する。さらに、付属物と接合するように、表面パネル２の適切な位置に旋回軸２３を取り付けることができ、旋回軸２３は、穴に回転可能に挿入される突起部とすることができる。旋回軸２３の構成は、標準の設計であり、さらに詳しくは説明しない。
【００１２】
　図３を参照すると、本考案のレセプタクルカバー装置がパネルに組み込まれている。レセプタクル穴１１は、メインボードに内部接続される端子台に挿入することができる。このことは、本考案の設計に関係する重要な事柄を含んでいないため、さらに詳しくは説明しない。出力端末Ａに外部リード線を挿入していてもよく、一方、取付パネル１と表面パネル２の間には角距離が事前に設定されており、したがって外部電線をこの空間の角距離内に収容することができる。
【００１３】
　図４を参照すると、取付パネル１は旋回可能に回転可能な経路に沿って内側に移動し、一方表面パネル２は下向きに移動してレセプタクルカバー装置が閉じる。コンピュータの前面パネルは、表面パネル２がメインフレームのパネルＢの一部になり、パネルＢが視覚上一貫性のある外観を備えることができるように完成する。さらに、外部電線を表面パネル２の下側から外側に延ばして、外部装置に接続することができる。
【００１４】
　上述したように、本考案のレセプタクルカバー装置はコンピュータメインフレームに組み込まれているが、レセプタクルまたはコネクタを備える任意の物に取り付けることができる。
【００１５】
　本考案のレセプタクルカバー装置には以下の利点があることが理解されよう。
【００１６】
　接続端末および表面パネルは同じ方向にあり、したがって偶発的な衝突によって、外側に延びる電線が切断し、また外れる可能性が減る。
【００１７】
　外観の一貫性を保つことができ、したがって特に表面パネルには突出や溝がなく、したがって滑らかな外面を得ることができ、視覚上の完全性に加えて、冷光など別の使用や設計をアレンジすることができる。
【００１８】
　レセプタクルを隠すことによって、従来の露出型レセプタクルによって起こる危険を回避することができる。たとえば、レセプタクルカバー装置を床用レセプタクルに使用すると、電線が水平方向に引き出され、表面パネルがレセプタクルの上部になり、したがって突然の分離による危険がなくなる。
【００１９】
　本考案を、好ましい実施の形態に関連して説明してきたが、前記の特許請求の範囲で定義した本考案の意図を逸脱することなく容易に変更または変形できることを理解されたい。
【図面の簡単な説明】
【００２０】
【図１】分解した状態の本考案のレセプタクルカバー装置を示す透視図である。
【図２】組み立てた状態の図１のレセプタクルカバー装置を示す透視図である。
【図３】コンピュータメインフレームの前面パネルに取り付けられている、開いた状態の本考案のレセプタクルカバー装置を示す透視図である。
【図４】図３のコンピュータメインフレームのコンピュータパネルに取り付けられている、閉じた状態の本考案のレセプタクルカバー装置を示す透視図である。
【符号の説明】
【００２１】
　１　取付パネル
　２　表面パネル
　１１　レセプタクルポート
　１２　スクリーンプレート
　１３　接合装置
　１３１　係合突起部
　１３２　係合穴
　２１　カバープレート
　２２　係合装置
　２３　旋回軸
　Ａ　出力端末
　Ｂ　パネル
【図１】
0003099773.tif 000003
【図２】
0003099773.tif 000004
【図３】
0003099773.tif 000005
【図４】
0003099773.tif 000006